(57)【特許請求の範囲】
【請求項１】
駆動源のモータと、前記モータの回転に連動して回転をするベッドと、前記ベッドがある特定位置になった時に信号を出す位置センサと、前記モータの回転方向を操作する操作スイッチと、前記操作スイッチを押すと一定時間モータを回転するように制御する制御回路があり、前記操作ボタンを押して一定時間後近傍にて前記位置センサからの信号をもとに、モータの停止制御を行い、回転するベッドを所定の位置に停止することを特徴とする電動回転ベッド。
【請求項２】
駆動源のモータと、前記モータの回転に連動して回転をするベッドと、前記ベッドがある特定位置になった時に信号を出す位置センサと、前記モータを制御する制御回路と、前記制御回路に信号を出すリセット操作スイッチがあり、前記リセット操作スイッチを押す事で、前記制御回路により前記モータを駆動し、前記位置センサからの信号をもとに、モータの停止制御を行い、回転するベッドを所定の位置に停止することを特徴とする電動回転ベッド。
【発明の詳細な説明】
【技術分野】
【０００１】  本発明は電動回転ベッドの回転装置に関する。
【背景技術】
【０００２】  従来の電動回転ベッドを動作フロー（図７）にて説明する。従来は図５（ｂ）のようなＣＷ回転スイッチ１１１、ＣＣＷ回転スイッチ１１２、ＯＦＦスイッチ１１３のような３種類のスイッチを使用したベッドコントローラを使用しており、使用者がベッドコントローラスイッチを押し（Ｓ１０１）、電動回転ベッドを回転させていた。所定時間回転すると（Ｓ１０２〜Ｓ１０４）モータが停止（Ｓ１０５）する仕組みになっており、使用者が退出した後、ベッドメイクの時には回転ベッドを所定の位置まで回転させる必要があった（Ｓ１０６〜Ｓ１１０）。
【発明の概要】
【本発明が解決しようとする課題】
【０００４】  ベッドメイクは通常、頭側と脚側は決まった位置に設置する（例えば、頭側に設置する枕はＴＶを見やすいような位置に置いたりする（図１（ａ））。
【０００５】  しかしながら、電動回転ベッドの回転は時間で制御されているため、ＣＷ回転スイッチ１１１やＣＣＷ回転スイッチ１１２を押し、所定時間電動回転ベッドが回転した後には所定位置（図１（ａ））では停止しないため、使用者が電動回転ベッドを使用して退出した後（図１（ｂ））、電動回転ベッドは所定位置になく、ベッドメイクの際に電動回転ベッドを所定位置まで回転させる必要があり、所定位置まで回転するまで長時間監視する必要があり、ベッドメイクが非効率になる問題があった。
【０００６】  また、使用者が電動回転ベッドのベッドコントーラのスイッチを押して、一定時間回転後に任意の位置で停止した後（図１（ｂ））、使用者がＴＶを見ようとした時には使用者はＴＶを見やすい位置にないため、枕の位置を移動しなければいけない問題もあった。
【０００７】  本考案はこのような事情に鑑み、所定の位置で停止する電動回転ベッドを提供する事を目的とする。
【課題を解決するための手段】
【０００９】  上記課題を解決するために請求項１記載の電動回転ベッドの回転装置は、駆動源のモータと、前記モータの回転に連動して回転をするベッドと、前記ベッドがある特定位置になった時に信号を出す位置センサと、前記モータの回転方向を操作する操作スイッチと、前記操作スイッチを押すと一定時間モータを回転するように制御する制御回路があり、前記操作ボタンを押して一定時間後近傍にて前記位置センサからの信号をもとに、モータの停止制御を行い、回転するベッドを所定の位置に停止することを特徴とする。
【００１０】  請求項２記載の電動回転ベッドの回転装置は、駆動源のモータと、前記モータの回転に連動して回転をするベッドと、前記ベッドがある特定位置になった時に信号を出す位置センサと、ベッドを所定位置に回転させるリセット操作スイッチと、前記モータを制御する制御回路があり、前記リセット操作スイッチを押すと、前記位置センサからの信号をもとに、モータの停止制御を行い、回転するベッドを所定の位置に停止することを特徴とする。
【発明の効果】
【００１１】  本発明によれば、電動回転ベッドが所定の位置に停止することで、利用者がＴＶを見やすい位置で停止するため、わざわざ移動をする煩わしさがなくなり使いやすくなる。また、ベッドメイクでも、簡単に所定の位置に電動回転ベッドが自動に回転してくれるため、ベッドメイクもしやすく、ベッドメイクに掛かる時間が削減することができる。
【図面の簡単な説明】
【００１２】
【図１】従来の電動回転ベッドの回転装置の停止位置説明図である
【図２】実施例１、２に係る回転ベッド全体の斜視図である。
【図３】実施例１、２に係る回転ベッドの縦断面図である。
【図４】実施例１、２に係る回転ベッドのＹ−Ｙ断面図である。
【図５】実施例１、２に係る操作スイッチの図である
【図６】実施例１、２に係る制御系のブロック図である
【図７】従来の回転ベッドの動作を示すフローチャートである
【図８】実施例１に係る回転ベッドの動作を示すフローチャートである
【図９】実施例２に係る回転ベッドの動作を示すフローチャートである
【００１３】  以下、本発明の実施形態について図面を参照して詳細に説明する。【００１４】  図２〜図７において実施例１を説明する。【００１５】  図２は本発明の実施例１に係る回転ベッドの斜視図で、図３、図４はそれぞれ縦断面図、Ｙ−Ｙ断面図である。【００１６】  ベース１２は図示していない床面に固定されており、ベース１２にはベアリングＡ６とベアリングＢ９が固定されている。各々のベアリングは回転軸Ａ５と回転軸Ｂ８を回転可能に軸支するようになっている。回転軸Ａ５にはプーリＡ４が一体的に固定されていて、一端には図示していない電源に接続されたモータ３が嵌合するようになっている。モータ３は図示していない回転止めにより、回転方向を規制されるように固定されている。これにより、モータ３が回転すると回転軸Ａ５とプーリＡ４が回転するようになっている。回転軸Ｂ８にはプーリＢ７が一体的に固定されていて、一端には嵌合軸１０が嵌合し、嵌合軸１０と回転軸Ｂ８も一体的に回転するようになっている。プーリＡ４とプーリＢ７にはベルト１６が噛み合い、プーリＡ４の駆動力をプーリＢ７に伝達する仕組みとなっている。嵌合軸１０とマット受１１は一体的に固定されていて、マット受け１１と回転ベッド枠１は一体的に固定されている。マット受け１１の上にはマットレス２が乗っかっている。また回転ベッド枠１にはローラ１３が固定されており、回転ベッド枠１が回転軸Ｂ８を中心に回転する時、ローラ１３が床面（図示せず）に対して回転することで、回転ベッド枠１の回転をスムースにする役割をしている。位置センサ１４は床面（図示せず）に固定されている。位置センサ１４には位置センサ検出部１４Ａがあり、この部分を動かす事により信号がでる仕組みになっている。突起部１５は回転ベッド枠１に固定されていて、ベッド枠１が回転すると突起部１５もベッド枠と共に回転する。また、突起部１５は位置センサ検出部１４Ａと当たるように配置されていて、回転ベッド枠１が１周すると突起部１５が位置センサ突起部１４Ａを動かし信号がでる仕組みになっている。【００１７】  次に実施例１の動作フローチャート（図８）に沿って説明する。使用者がベッドコントローラ５０（図５（ａ））のＣＷボタン１０１を押す（Ｓ２０１）とモータ３がＣＷ方向に回転し、回転軸Ａ５に固定されているプーリＡ４もＣＷ回転する。このプーリＡ４が回転することで、ベルト１６が回転し、プーリＢ７をＣＷ回転させ、プーリＢ７の回転軸Ｂ８がＣＷ回転する。回転軸Ｂ８が回転することで、回転軸Ｂ８に嵌合している嵌合軸１０がＣＷ回転し、マット受け１１を介して回転ベッド枠１がＣＷ回転する。またＣＷボタン１０１を押した後、制御回路２０１（図６）に内蔵されたタイマーにより３０分後（Ｓ２０２〜Ｓ２０５）にモータ３の停止制御（Ｓ２０６）をし、モータ３を停止（Ｓ２０７）させる。同様にＣＣＷボタン１０２を押す（Ｓ２０１）と回転ベッド枠１がＣＣＷ回転し、制御回路２０１に内蔵されたタイマーにより３０分後（Ｓ２０２〜Ｓ２０５）にモータ３の停止制御（Ｓ２０６）をし、モータ３を停止（Ｓ２０７）させる。【００１８】  もし停止位置が所定の位置で無い場合（Ｓ２０８）、ベッドを所定位置へ回転動作を再作動させる。リセットボタンを押し、モータを再作動させた後、位置センサからの信号を元に、モータの制御をおこない、回転するベッドを所定の位置に停止する。この動作をフローチャート（図８）を用いて説明する。
リセットボタン１０３を押す（Ｓ２０９）とモータ３はＣＷ方向に回転（Ｓ２１０）し、突起部１５が位置センサ検出部１４Ａを動かし、信号を出す（Ｓ２１１）。この信号を制御回路が受けると、モータ３の停止制御（Ｓ２１２）を行い、モータ３を停止（Ｓ２１３）し、所定位置に回転ベッド枠１を止める。またモータ３が回転中にＯＦＦボタン１０４を押す（Ｓ２０４）とモータ３の停止制御（Ｓ２２０）をし、モータ３を停止（Ｓ２２１）させるようになっている。この後、リセットボタン１０３を押す（Ｓ２２２）とモータ３をＣＷ方向に回転（Ｓ２１０）し、突起部１５が位置センサ検出部１４Ａを動かし、信号を出す（Ｓ２１１）。この信号を制御回路２０１が受けると、モータ３の停止制御（Ｓ２１２）を行い、モータ３を停止（Ｓ２１３）し、所定位置に回転ベッド枠１を止める。【００１９】  以上述べたように上記実施例１によれば、ＣＷボタン、ＣＣＷボタンを押せば所定時間電動ベッドを回転でき、しかも回転中にＯＦＦボタンを押す事で利用者が好みの位置で停止することができる上、ベッドメイクの際にはリセットボタンを一つ押すことで、所定の位置に戻ることから、ベッドメイク開始時にリセットボタンを押し、ベッドが所定位置に回転監視が不要のため、他の仕事ができ、ベッドメイクの時間を短縮できる。【００２０】  次に本発明の実施例２について説明する。回転ベッドの構成は実施例１と同様で、異なる点はベッドコントローラが図５（ｂ）のようにＣＷボタン、ＣＣＷボタン、ＯＦＦボタンの３種類になったことである。【００２１】  次に実施例２の動作フローチャート（図９）に沿って説明する。使用者がベッドコントローラ（図５（ｂ））のＣＷボタン１１１を押す（Ｓ３０１）とモータ３がＣＷ方向に回転し、回転軸Ａ５に固定されているプーリＡ４もＣＷ回転する。このプーリＡ４が回転することで、ベルト１６が回転し、プーリＢ７をＣＷ回転させ、プーリＢ７の回転軸Ｂ８がＣＷ回転する。回転軸Ｂ８が回転することで、回転軸Ｂ８に嵌合している嵌合軸１０がＣＷ回転し、マット受け１１を介して回転ベッド枠１がＣＷ回転する。またＣＷボタン１１１を押した後、制御回路２０１（図６）に内蔵されたタイマーにより３０分経過（Ｓ３０２〜Ｓ３０５）したのち、最初の位置センサ１４からの信号を受け（Ｓ３０６）、モータ３の停止制御（Ｓ３０７）を行い、モータ３を停止（Ｓ３０８）し、所定位置に回転ベッド枠１を止める。またモータ３がＣＷ回転中にＯＦＦボタン１１３を押すと、最初の位置センサ１４からの信号を受け（Ｓ３０６）、モータ３の停止制御（Ｓ３０７）を行い、モータ３を停止（Ｓ３０８）し、所定位置に回転ベッド枠１を止める。同様にＣＣＷボタン１１２を押す（Ｓ３０１）とモータ３がＣＣＷ方向に回転し、回転軸Ａ５に固定されているプーリＡ４もＣＣＷ回転する。このプーリＡ４が回転することで、ベルト１６が回転し、プーリＢ７をＣＣＷ回転させ、プーリＢ７の回転軸Ｂ８がＣＣＷ回転する。回転軸Ｂ８が回転することで、回転軸Ｂ８に嵌合している嵌合軸１０がＣＣＷ回転し、マット受け１１を介して回転ベッド枠１がＣＣＷ回転する。またＣＣＷボタン１１２を押した後、制御回路２０１（図６）に内蔵されたタイマーにより３０分経過（Ｓ３０２〜Ｓ３０５）したのち、最初の位置センサ１４からの信号を受け（Ｓ３０６）、モータ３の停止制御（Ｓ３０７）を行い、モータ３を停止（Ｓ３０８）し、所定位置に回転ベッド枠１を止める。またモータ３がＣＣＷ回転中にＯＦＦボタン１１３を押すと、押した後、最初の位置センサ１４からの信号を受け（Ｓ３０６）、モータ３の停止制御（Ｓ３０７）を行い、モータ３を停止（Ｓ３０８）し、所定位置に回転ベッド枠１を止める【００２２】  ここで、制御回路２０１（図６）に内蔵されたタイマーによりタイマー終了時間である３０分近傍において位置センサ１４からの信号を受けてモータ３の停止制御を行い、モータ３を停止し、所定位置に回転ベッド枠１を止めてもよい。【００２３】  以上述ベたように上記実施例２によれば、ＣＷボタン、ＣＣＷボタンを押せば所定時間電動ベッドを回転できる。しかも所定時間完了後には必ず所定位置で回転が停止するので、利用者もＴＶを見やすい。また、ベッドメイクの際には必ず所定の位置に電動回転ベッドがあることから、電動回転ベッドを所定位置まで回転させる必要がないため、ベッドメイクの時間を短縮できる。
【産業上の利用可能性】
【００２４】  本発明は、回転ベッド以外にもターンテーブルなどに利用することができる。
【符号の説明】
【００２５】１            回転ベッド枠
２            マットレス
３            駆動源のモータ
４            プーリＡ
５            回転軸Ａ
６            ベアリングＡ
７            プーリＢ
８            回転軸Ｂ
９            ベアリングＢ
１０          嵌合軸
１１          マット受け
１２          ベース
１３          ローラ
１４          位置センサ
１４Ａ        位置センサ検出部
１５          突起部
１６          ベルト
【図１】
0005793800.tif 000002
【図２】
0005793800.tif 000003
【図３】
0005793800.tif 000004
【図４】
0005793800.tif 000005
【図５】
0005793800.tif 000006
【図６】
0005793800.tif 000007
【図７】
0005793800.tif 000008
【図８】
0005793800.tif 000009
【図９】
0005793800.tif 000010